(57)【要約】【課題】接続する二次電池や電池ブロックの電池容量のバラツキを抑えて、複数の電池を直列化した際の実効容量の最大化を図ることが可能になる蓄電池システムおよび蓄電池システム構築方法を提供する。【解決手段】充放電可能な二次電池を複数有する電池ブロックＡ１〜Ｂ２を接続して構成される蓄電池システムとし、システム構成時に直列接続する電池ブロック同士を一定時間以上並列接続して電池ブロック同士の電位差を小さくする並列安定化期間を設け、当該安定化期間経過後に直列接続する蓄電池システム１０、１１および蓄電池システム構築方法とした。【選択図】図１
2013240219.tif 000002
【特許請求の範囲】
【請求項１】
充放電可能な二次電池を有する電池ブロックを複数接続して構成される蓄電池システムであって、
システム構成時に直列接続する電池ブロック同士を一定時間以上並列接続して前記電池ブロック同士の電位差を小さくする並列安定化期間を設け、当該安定化期間経過後に直列接続することを特徴とする蓄電池システム。
【請求項２】
前記並列安定化期間は、保管期間と輸送期間の少なくとも一方に含まれることを特徴とする請求項１に記載の蓄電池システム。
【請求項３】
専用コネクタを用いて電池ブロック同士を並列接続した電池ブロック接続保管体を構成すると共に、前記専用コネクタは、後で直列に接続する端子同士を識別可能な表示部を有することを特徴とする請求項１または２に記載の蓄電池システム。
【請求項４】
前記専用コネクタは、絶縁性部材により覆われていることを特徴とする請求項３に記載の蓄電池システム。
【請求項５】
前記専用コネクタは、並列接続時に使用する第一端子接続部と直列接続時に使用する第二端子接続部を有することを特徴とする請求項３または４に記載の蓄電池システム。
【請求項６】
第一端子接続部と第二端子接続部は、それぞれ接続する相手側を認識可能な識別部を有することを特徴とする請求項５に記載の蓄電池システム。
【請求項７】
充放電可能な二次電池を有する電池ブロックを複数接続して構成される蓄電池システムを組み立てる蓄電池システム構築方法であって、
システム構成時に直列接続する電池ブロック同士を一定時間以上並列接続して前記電池ブロック同士の電位差を小さくする並列安定化期間を設け、当該安定化期間経過後に直列接続して組み立てることを特徴とする蓄電池システム構築方法。
【発明の詳細な説明】
【技術分野】
【０００１】
本発明は、充放電可能な二次電池を複数接続して用いる蓄電池システムおよびこのシステムを構成する蓄電池システム構築方法に関する。
【背景技術】
【０００２】
近年、自然エネルギーを利用した発電システムや、このような発電システムにより発電した電力を貯蔵する電力貯蔵用蓄電池が開発されつつある。例えば、高エネルギー密度を有し小型軽量化が可能であることからリチウム二次電池が、各種電子機器の電源用電池として用いられている。また、大容量化が可能であることから、電気自動車（ＥＶ）やハイブリッド電気自動車（ＨＥＶ）等のモータ駆動電源や、電力貯蔵用蓄電池としても注目されてきている。
【０００３】
例えば、所定の電池容量の二次電池を複数個接続して大容量の蓄電池システムを構築することが行われている。また、起電力が数ボルトの単電池を複数直並列接続してモジュール電池を形成し、このモジュール電池を、直列・並列に接続した蓄電池システムの開発が進められており、例えば、特許文献１に示すような二次電池システムが既に公開されている。また、複数個の直列接続電池ブロックを並列接続した電源装置（特許文献２）が既に公開されている。
【先行技術文献】
【特許文献】
【０００４】
【特許文献１】特開２００８−１０９８４１号公報
【特許文献２】特開２００６−３４５６６０号公報
【発明の概要】
【発明が解決しようとする課題】
【０００５】
複数の二次電池を直列・並列に接続する際には、接続する各々の二次電池の電池容量を揃えておくことが好ましく、容量がばらついていれば、充放電効率が低下して容量ロスが生じる。また、電位の高い電池ブロックから電位の低い電池ブロックに電流が流れ込んだりして問題が生じる。
【０００６】
そのために、上記の特許文献１では、接続するモジュール電池の電池特性の均一化を図るために、各モジュール電池の内部抵抗が等しくなるように、各々のモジュール電池の温度を制御する制御装置を用いている。また、特許文献２では、直列接続電池ブロックの各々に定電流制御回路を設けて、各直列接続電池ブロックの容量アンバランスの影響を回避している。
【０００７】
上記のように、従来技術においては、接続するモジュール電池の温度を各々制御する制御装置を設けたり（特許文献１）、各電池ブロック毎に定電流制御回路を設けたり（特許文献２）する等、余分なコストが必要となっている。
【０００８】
そのために、余分なコストを掛けずに、接続する各二次電池や各電池ブロックの電池容量のバラツキを抑えることが可能な蓄電池システムが望ましく、生産、保管、輸送時に生じる容量バラツキを低減し、電池を直列化した際の実効容量の最大化を図ることが可能になる蓄電池システムおよびその構築方法であることが望ましい。
【０００９】
そこで本発明は、上記問題点に鑑み、接続する二次電池や電池ブロックの電池容量のバラツキを抑えて、複数の電池を直列化した際の実効容量の最大化を図ることが可能になる蓄電池システムおよび蓄電池システム構築方法を提供することを目的とする。
【課題を解決するための手段】
【００１０】
上記目的を達成するために本発明は、充放電可能な二次電池を有する電池ブロックを複数接続して構成される蓄電池システムであって、システム構成時に直列接続する電池ブロック同士を一定時間以上並列接続して前記電池ブロック同士の電位差を小さくする並列安定化期間を設け、当該安定化期間経過後に直列接続することを特徴としている。
【００１１】
この構成によると、システム構成時に直列に接続する電池ブロック同士を予め並列に接続して一定期間保持しておくことで、電圧差が低減し、電池容量の均一化が促進された電池ブロック同士を直列に接続することができる。従って、接続する二次電池や電池ブロックの電池容量のバラツキを抑えて、複数の電池を直列化した際の実効容量の最大化を図ることが可能になる蓄電池システムを得ることができる。
【００１２】
また本発明は上記構成の蓄電池システムにおいて、前記並列安定化期間は、保管期間と輸送期間の少なくとも一方に含まれることを特徴としている。この構成によると、複数の電池ブロックを現地に搬送した後、組み立てる大容量の蓄電池システムであっても、組み立てるまでの期間を有効に利用して、直列接続する電池ブロックの電圧を揃え電池容量の均一化を図った電池ブロック同士を確実に接続することができる。
【００１３】
また本発明は上記構成の蓄電池システムにおいて、専用コネクタを用いて電池ブロック同士を並列接続した電池ブロック接続保管体を構成すると共に、前記専用コネクタは、後で直列に接続する端子同士を識別可能な表示部を有することを特徴としている。この構成によると、接続が許可される表示部を有する端子同士を接続することで、電池ブロックを正しく接続した蓄電池システムを構築することができる。
【００１４】
また本発明は上記構成の蓄電池システムにおいて、前記専用コネクタは、絶縁性部材により覆われていることを特徴としている。この構成によると、専用コネクタを用いて一体に組み付けた電池ブロック接続保管体と外部との漏電を防止することができる。
【００１５】
また本発明は上記構成の蓄電池システムにおいて、前記専用コネクタは、並列接続時に使用する第一端子接続部と直列接続時に使用する第二端子接続部を有することを特徴としている。この構成によると、同一のコネクタを、並列保管時と直列作動時の両方に用いることができる。
【００１６】
また本発明は上記構成の蓄電池システムにおいて、第一端子接続部と第二端子接続部は、それぞれ接続する相手側を認識可能な識別部を有することを特徴としている。この構成によると、並列接続状態で保管していても、直列に接続する際には、接続する相手端子を間違えることなく接続することができる。
【００１７】
また本発明は充放電可能な二次電池を有する電池ブロックを複数接続して構成される蓄電池システムを組み立てる蓄電池システム構築方法であって、システム構成時に直列接続する電池ブロック同士を一定時間以上並列接続して前記電池ブロック同士の電位差を小さくする並列安定化期間を設け、当該安定化期間経過後に直列接続して組み立てることを特徴としている。この構成によると、接続する二次電池や電池ブロックの電池容量のバラツキを抑えて、複数の電池を直列化した際の実効容量の最大化を図ることが可能になる蓄電池システムの構築方法を得ることができる。
【発明の効果】
【００１８】
本発明によれば、直列に接続する電池ブロック同士を予め並列に接続して一定時間以上保持しておく並列安定化期間を設けることにより、電圧差が低減し電池容量の均一化が促進された電池ブロック同士を直列に接続することができる。従って、接続する二次電池や電池ブロックの電池容量のバラツキを抑えて、複数の電池を直列化した際の実効容量の最大化を図ることが可能になる蓄電池システムおよび蓄電池システム構築方法を得ることができる。
【図面の簡単な説明】
【００１９】
【図１】本発明に係る蓄電池システムに用いる電池ブロック接続保管体の一構成例を示す概略説明図である。
【図２】図１の電池ブロックを蓄電池システムに用いる際の接続状態を示す構成図である。
【図３】本発明に係る蓄電池システムの一例を示す全体構成図である。
【図４】電池ブロックの第一の構成例を示す概略説明図である。
【図５】電池ブロックの第二の構成例を示す概略説明図である。
【図６】専用コネクタの構成例を示す概略説明図である。
【発明を実施するための形態】
【００２０】
以下に本発明の実施形態を図面を参照して説明する。また、同一構成部材については同一の符号を用い、詳細な説明は適宜省略する。
【００２１】
本発明に係る蓄電池システムは、充放電可能な二次電池を複数接続して構成される比較的大容量の蓄電池システムであって、例えば、家庭用の電力貯蔵用蓄電池として設置可能なものである。また、電力系統から供給される商用電源を用いて予め蓄電しておき、商用電源の停電時にも最低限必要な電力を得られるようにしておくことも、商用電源以外に太陽光発電などの発電手段を設置して、発電手段が発電する電力を蓄電しておくことも可能になるものである。
【００２２】
また、大容量の蓄電池システムを構築する際には、製造工場にて一体の蓄電池システムを構築することが可能であるが、安全に搬送可能な二次電池の容量や重量に制限がある場合には、小分けした状態で搬送して現地にて組み立てることが想定される。そのために、複数の二次電池を現地にて直列・並列接続して大容量の蓄電池システムを構築すると共に、この組立作業を容易に行うことができ、接続する複数の二次電池の電池容量のバラツキを低減して実効容量の最大化を図ることが可能になる蓄電池システムを構築できることが望ましい。
【００２３】
二次電池としては、鉛蓄電池やリチウムイオン二次電池やニッケル水素蓄電池などの各種の二次電池を用いることができる。また、正極板と負極板とをセパレータを介して複数層積層した平面視矩形の弁当箱形状の二次電池を複数有する電池パッケージを複数個繋いで大容量の蓄電池システムを構築することや、乾電池状の小型セルを複数直並列に接続した電池パッケージを複数個繋いで大容量の蓄電池システムを構築することができる。以後、蓄電池システムを構築する際に接続構成する電池パッケージを電池ブロックとして説明する。
【００２４】
それぞれの電池ブロック同士を直列に接続する際には、接続する各々の電池電圧や電池容量がバラツキなく揃っていることが好ましい。これは、電圧や電池容量がばらついていれば、充放電効率が低下するからである。
【００２５】
そのために、本実施形態では、システム構成時に直列接続する電池ブロック同士を一定時間以上並列接続して保持する並列安定化期間を設け、当該安定化期間経過後に直列接続する構成としたものである。
【００２６】
この構成であれば、システム構成時に直列に接続する電池ブロック同士を予め並列に接続して一定時間（例えば、６時間、もしくは一昼夜）以上保持しておくことで、電圧差が低減し電池容量の均一化が促進された電池ブロック同士を直列に接続することができる。従って、接続する二次電池や電池ブロックの電池容量のバラツキを抑えて、複数の電池を直列化した際の実効容量の最大化を図ることが可能になる蓄電池システムを得ることができる。
【００２７】
次に、本実施形態に係る蓄電池システムに用いる電池ブロックの具体的な接続構成について図１および図２を用いて説明する。
【００２８】
図１には、システム構成時に直列接続する電池ブロック同士を所定時間並列接続して保持する並列安定化期間における電池ブロック同士の接続構成を示し、図２に、システム構成時における電池ブロック同士の接続構成を示す。
【００２９】
すなわち、図１には、電池ブロックＡ１と電池ブロックＡ２（あるいは、Ｂ１とＢ２）を並列接続して一体化した電池ブロック接続保管体１を示している。電池ブロックＡ１とＡ２（あるいは、Ｂ１とＢ２）は、互いの正極端子同士および互いの負極端子同士が専用コネクタ２を用いて接続される。
【００３０】
そして、図２に示すように、蓄電池システム１０を構築する際には、並列接続して保管しておいた電池ブロックＡ１とＡ２（あるいは、Ｂ１とＢ２）を直列に接続する。すなわち、本実施形態に係る蓄電池システム１０は、充放電可能な二次電池を有する電池ブロックを複数接続して構成される蓄電池（電源）を有し、負荷２０に電力を供給する電力供給システムである。
【００３１】
また、システム構成時に直列に接続する電池ブロック同士を、直列接続する直前まで並列に接続しておく並列安定化期間を設けるので、本実施形態における蓄電池システム１０は、直列接続する電池ブロックＡ１とＡ２（あるいは、Ｂ１とＢ２）の電圧を揃え電池容量の均一化を図った電池ブロック同士を接続する構成となる。なお、並列安定化期間は直列接続する電池ブロックの電圧が揃うまでの時間以上であることが好ましいが、直列接続する電池ブロックの電池容量バラツキを小さくし、実効容量を大きくすることができる程度に、電池ブロック同士の電位差を小さくできる時間以上の期間であればよい。
【００３２】
この並列安定化期間は、保管期間と輸送期間にわたってもよいが、保管期間もしくは輸送期間のどちらかだけで電池ブロック同士の電位差が小さくできる場合は、一方の期間もしくは一方の期間の内の一定時間以上であればよい。なお並列安定化期間を保管期間と輸送期間を含む直列接続する直前までの期間とする場合には、複数の電池ブロックを現地に搬送した後、組み立てる大容量の蓄電池システムであっても、組み立てるまでの期間を有効に利用して、直列接続する電池ブロックの電圧を揃え電池容量の均一化を図った電池ブロック同士を確実に接続することができる。
【００３３】
また、専用コネクタ２は、後で直列に接続する端子同士を識別可能な表示部を有することが好ましい。この構成であれば、接続が許可される表示部を有する端子同士を接続することで、電池ブロックを正しく接続した蓄電池システムを構築することができる。
【００３４】
例えば、電池ブロックＡ１の＋端子部に接続する部分に表示部４Ａ（図中に模式的に示す四角に×印）を設け、−端子部に接続する部分に表示部４Ｂ（図中に模式的に示す四角に○印）を設け、専用コネクタ２の反対側には、その逆の表示部をそれぞれ設けておく。また、専用コネクタ２を用いて一体に組み付けたものを電池ブロック接続保管体１としてもよいが、これをケース部材（図中の破線で示す部分）で覆った構成の電池ブロック接続保管体１であってもよい。
【００３５】
また、専用コネクタ２は、絶縁性部材３により覆われていることが好ましい。この構成であれば、専用コネクタ２を用いて一体に組み付けた電池ブロック接続保管体１と外部との漏電を防止することができる。また、専用コネクタ２がバスバーなどの堅固な金属製であれば、この絶縁性部材３により覆われた部分を取っ手部として利用することも可能になる。この場合には、前述したケース部材は、単に複数の電池ブロックを一体に組み付ける簡単なものでよく、ケース部材に取っ手部を設ける必要がなくなる。
【００３６】
次に、図３を用いて蓄電池システムの一例について説明する。
【００３７】
この図３には、４個の電池ブロックを２直２並で接続した蓄電池システム１１を示しており、電池ブロックＡ１と電池ブロックＡ２とを直列接続したものと、電池ブロックＢ１と電池ブロックＢ２とを直列接続したものとを並列に接続している。
【００３８】
例えば、各々の電池ブロックＡ１〜Ｂ２の電圧が５０Ｖで電池容量が２４Ａｈの場合に４．８ｋＷｈのシステム容量を発揮する。すなわち、容量１．２ｋＷｈ（５０×２４）の電池ブロック４個を２直列２並列接続した電力供給システムは、負荷２０を備える蓄電池システム１１に対して４．８ｋＷｈ（１．２×４）の電力供給能力がある。
【００３９】
また、電池ブロック４個を直列に接続した４直の蓄電池システムを構成してもよい。例えば、電圧３．２Ｖで容量が１２０Ａｈの平面視矩形のリチウム二次電池を４個直列に接続して、電圧１２．８Ｖで容量が１２０Ａｈの電池ブロックを作成し、この電池ブロックを４直に接続して蓄電池システムを構築する。
【００４０】
この場合には、容量１．５ｋＷｈ（１２．８×１２０＝１５３６Ｗｈ）の電池ブロックを用いて容量６ｋＷｈ（１．５×４）の蓄電池システムを構築することができる。
【００４１】
また、上記のように４個の電池ブロックを直列に接続して４直の蓄電池システムを構築する場合には、直列に接続する４個の電池ブロックを同時に並列接続して保持しておく並列安定化期間を設けるとよい。
【００４２】
次に、本実施形態で用いた電池ブロックについて、図４、図５を用いて説明する。図４は、電池ブロックの第一の構成例を示す概略説明図であって、平面視矩形の弁当箱形状の二次電池を用いた第一実施形態の電池ブロックＡ１Ａを示す。図５は、電池ブロックの第二の構成例を示す概略説明図であって、乾電池状の小型セルを用いた第二実施形態の電池ブロックＡ１Ｂを示す。
【００４３】
図４に示す第一実施形態の電池ブロックＡ１Ａは、例えば、それぞれが平面視矩形のリチウムイオン二次電池ＡＡ１〜ＡＡ４をコネクタ２ＡＡを用いて直列に接続して一体化した電池ブロックであり、出力コネクタ２ＡＢを介して他の電池ブロックと、あるいは、外部負荷と接続する。
【００４４】
この電池ブロックＡ１Ａが先述した電池ブロックＡ１〜Ｂ２のそれぞれに相当し、例えば、電圧３．２Ｖで容量が１２０Ａｈの平面視矩形のリチウム二次電池を４個直列に接続することにより、電圧１２．８Ｖで容量が１２０Ａｈの電池ブロックＡ１Ａとなる。
【００４５】
次に、図５を用いて第二実施形態の電池ブロックＡ１Ｂについて説明する。この電池ブロックＡ１Ｂは、小型セルを複数直並列に接続した電池ブロックの例であって、乾電池状の小型セルを８並列１６直列に接続した電池構成である。
【００４６】
すなわち、セルＡａ１〜Ａａ１６の１６個のセルを直列に接続した第１列のａ列から、セルＡｈ１〜Ａｈ１６のｈ列までの８列が並列に接続されている。従って、１列１６個のセルを８列で合計１２８個のセルを用いた電池ブロックＡ１Ｂとなる。
【００４７】
例えば、各セルの電圧が３．２Ｖで、電池容量が３Ａｈのものを用いると、このセルを８並列１６直列に接続した電池ブロックＡ１Ｂは、電圧５１．２Ｖ（３．２×１６）で容量２４Ａｈ（３×８）を有する。
【００４８】
そして、この電池ブロックＡ１Ｂを２直２並で接続する蓄電池システムを構築すると、電圧が１００Ｖ（５１．２×２＝１０２．４）で容量が４８Ａｈ（２４×２）の蓄電池システムとなり、システム容量は、４．８ｋＷｈ（１００×４８＝４８００Ｗｈ）を発揮する。
【００４９】
この場合でも、システム構成時に直列に接続する電池ブロック同士を互いに並列接続して保持しておく並列安定化期間を設けることとする。また、４個の電池ブロックを一体に並列接続して保持しておく並列安定化期間を設けてもよい。
【００５０】
上記したように、所定の電圧と電池容量を有する電池ブロックをＮ直Ｍ並で接続して蓄電池システムを構築する際には、少なくとも、システム構築時に直列に接続するＮ個の電池ブロックを一体に並列接続して保持しておく並列安定化期間を設ける。
【００５１】
この並列安定化期間は直列接続する電池ブロックの電圧が揃うまでの時間以上の期間であることが好ましいが、前述したように、直列接続する電池ブロックの電池容量バラツキを小さくし、実効容量を大きくすることができる程度に、電池ブロック同士の電位差を小さくできる時間以上の期間であればよい。また、この並列安定化期間には、保管時間と搬送時間とを加えることができ、電池ブロック接続保管体のまま蓄電池システムを構築する現場まで運んで、現地にて開梱して組立作業を行う。すなわち、搬送が容易で安全な程度に電池ブロックを小分けして搬送して、現地にて大容量の蓄電池システムに構築でき、安定した蓄電池性能を発揮できる蓄電池システムとなる。
【００５２】
次に、実際にシステム構築時に直列に接続する２個の電池ブロックを一体に並列接続して保持しておく並列安定化期間を設け、電池ブロックの電圧がどのように揃うかを確認した実施例について説明する。
【００５３】
〈実施例１〉
実施例１で使用した電池ブロックは、図５に示す電池ブロックＡ１Ｂに相当するものであり、電池容量が３Ａｈのものを８並列１６直列に接続したものである。また、満充電であれば電圧５６．８Ｖで２４Ａｈの容量を有する。
【００５４】
この電池ブロックの充放電評価を行うために、直流安定化電源（菊水電子工業株式会社製ＰＷＲ１６００Ｌ）と直流電子負荷装置（菊水電子工業株式会社製ＰＬＺ１００４Ｗ）を用いた。また、電池の充放電は８並列したブロック毎に管理を行い、放電末の電圧は２．００Ｖとし、充電末の電圧は３．５５Ｖとした。すなわち、どれか１つの電池ブロック電圧が３．５５Ｖになれば充電末（満充電）と判断し、どれか１つの電池ブロック電圧が２．００Ｖになれば放電末と判断することにした。
【００５５】
ここで接続する第１電池ブロックとして放電末から５．９２Ａｈ充電したもの（充電率２５％）を作成し、第２電池ブロックとして放電末から７．３９Ａｈを充電したもの（充電率３１％）を作成し、これらを６時間並列接続して、その後の電池ブロックの電圧と容量の増減を確認する実験を行った。その結果を表１に示す。
【００５６】
【表１】
2013240219.tif 000003
【００５７】
表１に示すように、放電末から充電量を異ならせた二つの電池ブロックを６時間並列接続しておくと、電圧が同じになり、容量も、容量が大きい電池ブロックの容量は低減し容量が小さい電池ブロックは増加して、その差が小さくなって均一化を図れることが明らかとなった。また、電圧差が０．５Ｖ程度であれば６時間程度の並列安定化期間を設けることで、電圧を揃えられることが明らかとなった。また、より大きな電圧差である場合には、この並列安定化期間をより長く（例えば一昼夜）することで、均一化を図ることができる。
【００５８】
〈実施例２〉
また、より大きな容量差の電池ブロックを用いた実験結果を表２に示す。この実施例２で用いた第１電池ブロックは、放電末から８．２３Ａｈ充電したもの（充電率３４％）であり、第２電池ブロックは、充電末（充電率１００％）のものであり、これらを６時間並列接続して、その後の電池ブロックの電圧と容量の増減を確認する実験を行った。
【００５９】
【表２】
2013240219.tif 000004
【００６０】
表２に示すように、電圧差と容量差が大きな二つの電池ブロック同士であっても、６時間並列接続しておくことにより、電圧が同じになり、容量も、容量が大きい電池ブロックの容量は３．３４Ａｈ低減し、容量が小さい電池ブロックは３．３１Ａｈ増加して、その差が小さくなることが明らかとなった。また、６時間程度の並列安定化期間を設けることで、３．３Ａｈ程度の容量が移動することが明らかとなった。また、より大きな電圧差や容量差であっても、この並列安定化期間をより長く（例えば一昼夜）することで、均一化を図れることは十分想定できる。
【００６１】
上記したように、システム構成時に直列に接続する電池ブロック同士を、並列に接続しておく並列安定化期間を設けることにより、互いの電池ブロックの電圧を揃え電池容量の均一化を図ることが可能になる。
【００６２】
また、並列接続状態時に使用する専用コネクタ２は、後で直列に接続する際にも使用可能であることが好ましい。例えば、バスバー形式の板金製コネクタであれば、図６に示すように、端子接続部２２Ａ、２２Ｂ、２３を設けた専用コネクタ２１とする。端子接続部２２Ａ、２２Ｂは並列接続時に使用する第一端子接続部２２Ａ、２２Ｂである。また、端子接続部２３は直列接続時に使用する第二端子接続部２３である。
【００６３】
すなわち、並列接続状態時には、第一端子接続部２２Ａ、２２Ｂを介してそれぞれの同極端子同士を接続し、直列接続状態時には、第一端子接続部２２Ａと第二端子接続部２３を介してそれぞれ異なる極端子同士を接続する。
【００６４】
図６に示す専用コネクタ２１は、平板状のものを表示しているが、組付ける電池ブロックの端子位置により、平面状に屈曲した形状でも、立体的に屈曲した形状でもよい。いずれの形状であっても、並列接続時に使用する第一端子接続部２２Ａ、２２Ｂと直列接続時に使用する第二端子接続部２３を設けておくことが望ましい。
【００６５】
上記したように、専用コネクタ２（バスバー形式の専用コネクタ２１）が、並列接続時に使用する第一端子接続部２２Ａ、２２Ｂと直列接続時に使用する第二端子接続部２３を有する構成であれば、同一のコネクタを、並列保管時と直列作動時の両方に用いることができて好ましい。
【００６６】
また、第一端子接続部２２Ａ、２２Ｂには所定の極を意味する識別部４１（前述した表示部４Ａに相当）を設け、第二端子接続部２３には逆極性を意味する識別部４２（前述した表示部４Ｂに相当）を設ける構成とする。この構成であれば、第一端子接続部２２Ａ、２２Ｂと第二端子接続部２３は、それぞれ接続する相手側を認識可能な識別部を有することになるので、並列接続状態で保管していても、直列に接続する際には、接続する相手端子を間違えることなく接続することができる。
【００６７】
識別部４１、４２は所定の極性を意味する色を付した表示でも、所定の目印を設けた表示でも、−や＋や数字を刻印した表示であってもよい。すなわち、専用コネクタ２は、後で直列に接続する端子同士を識別可能な表示部を有することが好ましく、この構成であれば、接続が許可される表示部を有する端子同士を接続することで、電池ブロックを正しく接続した蓄電池システムを構築することができる。
【００６８】
専用コネクタ２は、バスバー形式のコネクタ以外でもよく、例えば、両端に接続端子を備えたケーブルを用いることができる。このケーブル形式であっても、接続する極性を表示する色や目印や刻印などの表示部を備えておくことが好ましい。すなわち、ケーブル形式の専用コネクタは、例えば、第一端子接続部２２Ａと第二端子接続部２３を備えた構成であり、直列に接続する互いに異なる極性を表示する表示部を備えた構成とする。
【００６９】
上記したように、本発明に係る蓄電池システムによれば、システム構成時に直列に接続する電池ブロック同士を一定時間以上並列接続して電池ブロック同士の電位差を小さくする並列安定化期間を設けたので、電圧差が低減し電池容量の均一化が促進された電池ブロック同士を直列に接続することができる。従って、接続する二次電池や電池ブロックの電池容量のバラツキを抑えて、複数の電池を直列化した際の実効容量の最大化を図ることが可能になる蓄電池システムを得ることができる。
【００７０】
また、本発明に係る蓄電池システム構築方法によれば、接続する二次電池や電池ブロックの電池容量のバラツキを抑えて、複数の電池を直列化した際の実効容量の最大化を図ることが可能になる蓄電池システムを容易に、また確実に組み立てることができる。
【００７１】
また、専用コネクタを用いて電池ブロック同士を並列接続した電池ブロック接続保管体を構成し、同一のコネクタを用いて直列接続可能とすることにより、直列接続するための新たなコネクタを用意する必要がなくなり、システム設置現場での設置作業を容易に、また確実に行うことができる。
【産業上の利用可能性】
【００７２】
そのために、本発明に係る蓄電池システムおよび蓄電池システム構築方法は、電池ブロックを小分けして搬送し、現地にて組み付け作業を行う蓄電池システムおよび蓄電池システム構築方法に好適に利用可能となる。
【符号の説明】
【００７３】
１    電池ブロック接続保管体
２    専用コネクタ
１０    蓄電池システム
１１    蓄電池システム
２０    負荷
２１    （バスバー形式の）専用コネクタ
２２Ａ、２２Ｂ    第一端子接続部
２３    第二端子接続部
４１    識別部（表示部）
４２    識別部（表示部）
Ａ１〜Ｂ２    電池ブロック
Ａ１Ａ    電池ブロック（弁当箱形状の二次電池を用いた）
Ａ１Ｂ    電池ブロック（乾電池状の二次電池を用いた）
【図１】
2013240219.tif 000005
【図２】
2013240219.tif 000006
【図３】
2013240219.tif 000007
【図４】
2013240219.tif 000008
【図５】
2013240219.tif 000009
【図６】
2013240219.tif 000010